(57)【要約】【課題】  ダンプトラックで河床部に搬送してきたコンクリートを堤体上に移送するに際し、移送用の架台などにコンクリートをダンプトラックから移し替える必要がなく、また、移送用の架台からも堤体上部においてダンプトラックに再度移し替える必要がなく、さらに、ウインチの設置数を増加させずに複数の架台の昇降を同時に行えて施工性の向上を図ることができるコンクリートの搬送設備および搬送方法を得る。【解決手段】  ダム堤体１に近接させて立設した搬送装置によって河床側からダム堤体上へコンクリートを搬送するコンクリートの搬送設備において、ダム堤体１の上に達するマスト３を河床部２に立設し、該マスト３の上部に設けたシーブ８に巻回したワイヤーロープ９の自由端と途中とにそれぞれコンクリート搬送用のリフト４ａ、４ｂを固定し、河床部２にワイヤーロープ９の巻上装置５を配設した。【選択図】        図１
2007016549.tif 000002
【特許請求の範囲】
【請求項１】
ダム堤体に近接させて立設した搬送装置によって河床側からダム堤体上へコンクリートを搬送するコンクリートの搬送設備において、ダム堤体の上に達するマストを河床部に立設し、該マストの上部に設けたシーブに巻回したワイヤーロープの自由端と途中とにそれぞれコンクリート搬送用のリフトを固定し、河床部にワイヤーロープの巻上装置を配設したことを特徴とするコンクリートの搬送設備。
【請求項２】
リフトは、コンクリート搬送用の車両を搭載する請求項１記載のコンクリートの搬送設備。
【請求項３】
ダム堤体に近接させて立設した搬送装置によって河床側からダム堤体上へコンクリートを搬送するコンクリートの搬送設備において、ダム堤体の上に達するマストを河床部に立設し、該マストの上部に設けたシーブに巻回したワイヤーロープの自由端と途中とにそれぞれコンクリート搬送用のリフトを固定し、河床部にワイヤーロープの巻上装置を配設し、該巻上装置でワイヤーロープを巻き取りまたは繰り出して、一方リフトが上昇または下降すると同時に、他方のリフトが下降または上昇するようにしたことを特徴とするコンクリート搬送方法。
【発明の詳細な説明】
【技術分野】
【０００１】
本発明は、コンクリートダムを築造する際に、ダム堤内にコンクリートを搬送するコンクリート搬送設備に関するものである。
【背景技術】
【０００２】
ダム堤体の建設では、コンクリート打設層を積み重ねて上方に構築していく工法が採用されているが、ダム堤体上へ順次新たな層を構築するためのコンクリートを搬送する必要がある。
【０００３】
このコンクリートを搬送する設備としては、従来、例えば、コンクリート混錬設備から搬送されるコンクリートを移し替えることなくダム堤体上のダンプカーに搬送できるコンクリート搬送装置がある（例えば、特許文献１参照）。
【０００４】
これは、河床部から立設した複数のマストで支持されたダム堤体上面より上部に設けた架台と、該架台にダム堤体上に延出したスタッカクレーンとを設け、河床側に設けたウインチによって昇降する下部吊具を該架台に設けたプーリを介して設けるとともに該スタッカクレーンに上部吊具を設け、コンクリートを積載したバケットを下部吊具で吊り上げて上部吊具によってダム堤体上に搬送するものである。
【０００５】
また、バケットを吊り下げる下部吊具を複数個設置し、一方の下部吊具はコンクリートを積載したバケットを、他方の下部吊具は排出後の空のバケットを搬送するようにしている。
【特許文献１】特開２０００−１６０５３８号公報
【発明の開示】
【発明が解決しようとする課題】
【０００６】
前記従来例は、ホッパーなどを使用してコンクリートを昇降用のバケットへダンプカーから移し替える必要はないが、搬送車に搭載されてきたコンクリートを詰めたバケットを下部吊具でダム堤体上に吊り上げ、さらに上部吊具によってダム堤体上に待機するダンプカーに移送する必要があり、手間を要して施工性がよくない。
【０００７】
また、下部吊具を複数個設置して複数の下部吊具を同時に昇降させるようにしているが、これは、空のバケットを下ろす側のウインチを簡素なものにするためであり、下部吊具の設置数と同数のウインチを設置する必要があり、設備規模が大きくなる。
【０００８】
本発明の目的は前記従来例の不都合を解消し、ダンプトラックで河床部に搬送してきたコンクリートを堤体上に移送するに際し、移送用の架台などにコンクリートをダンプトラックから移し替える必要がなく、また、移送用の架台からも堤体上部においてダンプトラックに再度移し替える必要がなく、さらに、ウインチの設置数を増加させずに複数の架台の昇降を同時に行えて施工性の向上を図ることができるコンクリートの搬送設備および搬送方法を提供することにある。
【課題を解決するための手段】
【０００９】
本発明は前記目的を達成するため、設備として、第１に、ダム堤体に近接させて立設した搬送装置によって河床側からダム堤体上へコンクリートを搬送するコンクリートの搬送設備において、ダム堤体の上に達するマストを河床部に立設し、該マストの上部に設けたシーブに巻回したワイヤーロープの自由端と途中とにそれぞれコンクリート搬送用のリフトを固定し、河床部にワイヤーロープの巻上装置を配設したことを要旨とするものである。
【００１０】
第２に、リフトは、コンクリート搬送用の車両を搭載することを要旨とするものである。
【００１１】
搬送方法として、第３に、ダム堤体に近接させて立設した搬送装置によって河床側からダム堤体上へコンクリートを搬送するコンクリートの搬送設備において、ダム堤体の上に達するマストを河床部に立設し、該マストの上部に設けたシーブに巻回したワイヤーロープの自由端と途中とにそれぞれコンクリート搬送用のリフトを固定し、河床部にワイヤーロープの巻上装置を配設し、該巻上装置でワイヤーロープを巻き取りまたは繰り出して、一方リフトが上昇または下降すると同時に、他方のリフトが下降または上昇するようにしたことを要旨とするものである。
【００１２】
請求項１、請求項３記載の本発明によれば、巻上装置によってワイヤーロープを巻き取りまたは繰り出すことにより、ワイヤーロープの自由端に固定されている一方のリフトは上昇または下降し、途中に固定されている他方のリフトは同時に下降または上昇する。よって、一台の巻上装置で複数のリフトを同時に昇降でき、設備が大掛かりになることなく、施工性を向上できるとともに、節電にもなる。
【００１３】
請求項２記載の本発明によれば、前記作用に加えて、リフトは、コンクリート搬送用の車両を搭載するようにしたから、コンクリートを積載した車両をそのままリフトに搭載し、リフトを上昇させた後、車両をそのまま堤体上部に移動することで、コンクリートの移し替えがなくなり、施工性が向上する。
【発明の効果】
【００１４】
以上述べたように本発明のコンクリート搬送設備およぴ搬送方法は、ダンプトラックで河床部に搬送してきたコンクリートをダム堤体上に移送するに際し、移送用の架台などにコンクリートをダンプトラックから移し替える必要がなく、また、架台からも堤体上部においてダンプトラックに再度移し替える必要がなく、さらに、ウインチの設置数を増加させずに複数の架台の昇降を同時に行えて施工性の向上を図ることができるものである。
【発明を実施するための最良の形態】
【００１５】
以下、図面について本発明の実施の形態を詳細に説明する。図１は、本発明のコンクリートの搬送設備の実施形態を示す正面図、図２は、同上側面図で、本発明のコンクリート搬送設備は、ダム堤体１の近傍において河床部２から鉛直に立設されたマスト３、このマスト３を昇降するリフト４ａ、４ｂ、およびリフト４ａ、４ｂを昇降させる巻上装置５とで構成される。
【００１６】
マスト３は、上端がダム堤体１の頂部に達するものとしてダム堤体１の築造にしたがい順次上方に継ぎ足すことのできる構成となっている。かかるマスト３の左右両側にガイドレール６を鉛直方向に設け、それぞれのガイドレール６にこれにそって昇降移動するリフト４ａ、４ｂを取りつける。リフト４ａ、４ｂは、コンクリート搬送用の車両１２ａ、１２ｂであるダンプトラックを搭載するものとして、その前後部は車両転落防止のために上方に回動する転落防止板１０に形成した。
【００１７】
図中７はリフト４ａ、４ｂを支持しガイドレール６にそって移動するフレーム、１１はマスト３の中間をダム堤体１の側壁で支持するための中間支持部材であるフレームを示す。
【００１８】
リフト４の昇降装置として、マスト３の基部に位置させて巻上装置５であるウインチを設置するとともに、マスト３の頂部に複数のシーブ８を配設し、ウインチに巻回したワイヤーロープ９の自由端を一方のリフト４ａに固定し、ワイヤーロープ９の途中を他方のリフト４ｂに固定する。これにより、２基のリフト４ａ、４ｂはワイヤーロープ９の巻き取り、繰り出しにより同時にシーソーのようにして一方が上昇または下降、他方が下降または上昇するように構成される。
【００１９】
次にコンクリートの運搬方法について説明する。築造中のコンクリートダムの堤体１の頂部にコンクリートを搬送するには、図１、図２に示すように一方リフト４ｂを下方の河床部２に、他方のリフト４ａを上方のダム堤体１の頂部に位置させる。この場合、一方のリフト４ｂを河床部２に位置させれば、他方のリフト４ａは自動的にダム堤体１の頂部に位置する。
【００２０】
そして、河床部２では、コンクリートを積載した車両１２ｂであるダンプトラックを下方のリフト４ｂの上に搭載する。同時に、ダム堤体１の頂部では他方のリフト４ａに、コンクリートの搬送が終了した後の荷台が空の車両１２ａを搭載する。この状態で、巻上装置５を駆動してワイヤーロープ９を巻き取れば、下方のリフト４ｂが上昇し、同時に上方のリフト４ｂが下降する。
【００２１】
よって、下方のリフト４ｂがダム堤体１の頂部に到達すれば、コンクリートを積載した車両１２ｂをリフト４ｂから降ろし、そのままコンクリートの打設現場へと移動させる。同時に、上方から下降した他方のリフト４ａは、下方の河床部２に到達したならば、空の車両１２ａをそのままリフト４ａから降ろして、コンクリート積載のために移動する。
【００２２】
このようにしてコンクリートを積載した車両１２ｂのダム堤体１頂部への移動と、空の車両１２ａのダム堤体１から河床部２への移動とを１台の巻上装置５を使用して同時に行う。
【００２３】
また、リフト４ｂへのコンクリートの積載は、コンクリートを積載してきた車両１２ｂをそのまま搭載することで行うことができ、リフト４ｂからダム堤体１のコンクリート打設現場へのコンクリートの移送も、リフト４ｂに搭載してきた車両１２ｂをそのままリフト４ｂから降ろして移動することで行うことができる。
【図面の簡単な説明】
【００２４】
【図１】本発明のコンクリートの運搬設備および搬送方法の実施形態を示す正面図である。
【図２】本発明のコンクリートの運搬設備および搬送方法の実施形態を示す側面図である。
【図３】本発明のコンクリートの運搬設備および搬送方法の実施形態を示す図２のＡ−Ａ線断面図である。
【符号の説明】
【００２５】
１…ダム堤体                    ２…河床部
３…マスト                      ４ａ、４ｂ…リフト
５…巻上装置                    ６…ガイドレール
７…フレーム                    ８…シーブ
９…ワイヤーロープ              １０…転落防止板
１１…フレーム                  １２ａ、１２ｂ…車両
【図１】
2007016549.tif 000003
【図２】
2007016549.tif 000004
【図３】
2007016549.tif 000005